【手続補正書】
【提出日】令和3年7月13日(2021.7.13)
【手続補正１】
【補正対象書類名】特許請求の範囲
【補正対象項目名】全文
【補正方法】変更
【補正の内容】
【特許請求の範囲】
【請求項１】
制御リソースセットにおいてＤＣＩフォーマットを伴うＰＤＣＣＨをモニターし、前記ＤＣＩフォーマットによってスケジューリングされたＰＤＳＣＨを受信する受信を備え、
前記ＤＣＩフォーマットは周波数領域リソース割り当てフィールドを含み、
前記周波数領域リソース割り当てフィールドのビット数が第１の帯域のリソースブロックの数ＮｔａｒｇｅｔＲＢに少なくとも基づいて与えられ、かつ、前記周波数領域リソース割り当てフィールドが前記第１の帯域に適用される場合、前記周波数領域リソース割り当てフィールドによって示される値ＮＲＩＶは第１の方法に基づいて与えられ、
前記周波数領域リソース割り当てフィールドのビット数が第２の帯域のリソースブロックの数ＮｓｉｚｅＲＢに少なくとも基づいて与えられ、かつ、前記周波数領域リソース割り当てフィールドが前記第１の帯域に適用される場合、前記ＮＲＩＶは第２の方法に基づいて与えられる、
端末装置。
【請求項２】
前記第１の方法において、ＬＲＢｓ−１≦ｆｌｏｏｒ（ＮｔａｒｇｅｔＲＢ／２）の場合、前記ＮＲＩＶはＮＲＩＶ＝ＮｔａｒｇｅｔＲＢ＊（ＬＲＢｓ−１）＋ＲＢｓｔａｒｔで与えられ、ＬＲＢｓ−１＞ｆｌｏｏｒ（ＮｔａｒｇｅｔＲＢ／２）の場合、前記ＮＲＩＶはＮＲＩＶ＝ＮｔａｒｇｅｔＲＢ＊（ＮｔａｒｇｅｔＲＢ−ＬＲＢｓ＋１）＋ＮｔａｒｇｅｔＲＢ−１−ＲＢｓｔａｒｔで与えられ、前記ｆｌｏｏｒ（ＮｔａｒｇｅｔＲＢ／２）は、ＮｔａｒｇｅｔＲＢ／２を超えない範囲の最大の整数であり、前記ＮｔａｒｇｅｔＲＢは、前記周波数領域リソース割り当てフィールドが適用されるリソースブロックの数であり、前記ＲＢｓｔａｒｔは、前記ＰＤＳＣＨがマップされるリソースブロックの先頭のインデックスであり、前記ＬＲＢｓは、前記ＰＤＳＣＨがマップされるリソースブロックの数であり、
前記第２の方法において、Ｌ２ＲＢｓ−１≦ｆｌｏｏｒ（ＮｓｉｚｅＲＢ／２）の場合、前記ＮＲＩＶはＮＲＩＶ＝ＮｓｉｚｅＲＢ＊（Ｌ２ＲＢｓ−１）＋ＲＢ２ｓｔａｒｔで与えられ、ＬＲＢｓ−１＞ｆｌｏｏｒ（ＮｔａｒｇｅｔＲＢ／２）の場合、前記ＮＲＩＶはＮＲＩＶ＝ＮｓｉｚｅＲＢ＊（ＮｓｉｚｅＲＢ−Ｌ２ＲＢｓ＋１）＋ＮｓｉｚｅＲＢ−１−ＲＢ２ｓｔａｒｔで与えられ、前記ｆｌｏｏｒ（ＮｓｉｚｅＲＢ／２）は、ＮｓｉｚｅＲＢ／２を超えない範囲の最大の整数であり、前記ＲＢ２ｓｔａｒｔはＲＢ２ｓｔａｒｔ＝ＲＢｓｔａｒｔ／ＫＲＢＧで与えられ、前記Ｌ２ＲＢｓはＬ２ＲＢｓ＝ＬＲＢｓ／ＫＲＢＧで与えられる、
請求項１に記載の端末装置。
【請求項３】
制御リソースセットにおいてＤＣＩフォーマットを伴うＰＤＣＣＨを送信し、前記ＤＣＩフォーマットによってスケジューリングされたＰＤＳＣＨを送信する送信部を備え、
前記ＤＣＩフォーマットは周波数領域リソース割り当てフィールドを含み、
前記周波数領域リソース割り当てフィールドのビット数が第１の帯域のリソースブロックの数ＮｔａｒｇｅｔＲＢに少なくとも基づいて与えられ、かつ、前記周波数領域リソース割り当てフィールドが前記第１の帯域に適用される場合、前記周波数領域リソース割り当てフィールドによって示される値ＮＲＩＶは第１の方法に基づいて与えられ、
前記周波数領域リソース割り当てフィールドのビット数が第２の帯域のリソースブロックの数ＮｓｉｚｅＲＢに少なくとも基づいて与えられ、かつ、前記周波数領域リソース割り当てフィールドが前記第１の帯域に適用される場合、前記ＮＲＩＶは第２の方法に基づいて与えられる、
基地局装置。
【請求項４】
前記第１の方法において、ＬＲＢｓ−１≦ｆｌｏｏｒ（ＮｔａｒｇｅｔＲＢ／２）の場合、前記ＮＲＩＶはＮＲＩＶ＝ＮｔａｒｇｅｔＲＢ＊（ＬＲＢｓ−１）＋ＲＢｓｔａｒｔで与えられ、ＬＲＢｓ−１＞ｆｌｏｏｒ（ＮｔａｒｇｅｔＲＢ／２）の場合、前記ＮＲＩＶはＮＲＩＶ＝ＮｔａｒｇｅｔＲＢ＊（ＮｔａｒｇｅｔＲＢ−ＬＲＢｓ＋１）＋ＮｔａｒｇｅｔＲＢ−１−ＲＢｓｔａｒｔで与えられ、前記ｆｌｏｏｒ（ＮｔａｒｇｅｔＲＢ／２）は、ＮｔａｒｇｅｔＲＢ／２を超えない範囲の最大の整数であり、前記ＮｔａｒｇｅｔＲＢは、前記周波数領域リソース割り当てフィールドが適用されるリソースブロックの数であり、前記ＲＢｓｔａｒｔは、前記ＰＤＳＣＨがマップされるリソースブロックの先頭のインデックスであり、前記ＬＲＢｓは、前記ＰＤＳＣＨがマップされるリソースブロックの数であり、
前記第２の方法において、Ｌ２ＲＢｓ−１≦ｆｌｏｏｒ（ＮｓｉｚｅＲＢ／２）の場合、前記ＮＲＩＶはＮＲＩＶ＝ＮｓｉｚｅＲＢ＊（Ｌ２ＲＢｓ−１）＋ＲＢ２ｓｔａｒｔで与えられ、ＬＲＢｓ−１＞ｆｌｏｏｒ（ＮｔａｒｇｅｔＲＢ／２）の場合、前記ＮＲＩＶはＮＲＩＶ＝ＮｓｉｚｅＲＢ＊（ＮｓｉｚｅＲＢ−Ｌ２ＲＢｓ＋１）＋ＮｓｉｚｅＲＢ−１−ＲＢ２ｓｔａｒｔで与えられ、前記ｆｌｏｏｒ（ＮｓｉｚｅＲＢ／２）は、ＮｓｉｚｅＲＢ／２を超えない範囲の最大の整数であり、前記ＲＢ２ｓｔａｒｔはＲＢ２ｓｔａｒｔ＝ＲＢｓｔａｒｔ／ＫＲＢＧで与えられ、前記Ｌ２ＲＢｓはＬ２ＲＢｓ＝ＬＲＢｓ／ＫＲＢＧで与えられる、
請求項３に記載の基地局装置。
【請求項５】
端末装置に用いられる通信方法であって、
制御リソースセットにおいてＤＣＩフォーマットを伴うＰＤＣＣＨをモニターするステップと、
前記ＤＣＩフォーマットによってスケジューリングされたＰＤＳＣＨを受信するステップとを有し、
前記ＤＣＩフォーマットは周波数領域リソース割り当てフィールドを含み、
前記周波数領域リソース割り当てフィールドのビット数が第１の帯域のリソースブロックの数ＮｔａｒｇｅｔＲＢに少なくとも基づいて与えられ、かつ、前記周波数領域リソース割り当てフィールドが前記第１の帯域に適用される場合、前記周波数領域リソース割り当てフィールドによって示される値ＮＲＩＶは第１の方法に基づいて与えられ、
前記周波数領域リソース割り当てフィールドのビット数が第２の帯域のリソースブロックの数ＮｓｉｚｅＲＢに少なくとも基づいて与えられ、かつ、前記周波数領域リソース割り当てフィールドが前記第１の帯域に適用される場合、前記ＮＲＩＶは第２の方法に基づいて与えられる、
通信方法。
【請求項６】
前記第１の方法において、ＬＲＢｓ−１≦ｆｌｏｏｒ（ＮｔａｒｇｅｔＲＢ／２）の場合、前記ＮＲＩＶはＮＲＩＶ＝ＮｔａｒｇｅｔＲＢ＊（ＬＲＢｓ−１）＋ＲＢｓｔａｒｔで与えられ、ＬＲＢｓ−１＞ｆｌｏｏｒ（ＮｔａｒｇｅｔＲＢ／２）の場合、前記ＮＲＩＶはＮＲＩＶ＝ＮｔａｒｇｅｔＲＢ＊（ＮｔａｒｇｅｔＲＢ−ＬＲＢｓ＋１）＋ＮｔａｒｇｅｔＲＢ−１−ＲＢｓｔａｒｔで与えられ、前記ｆｌｏｏｒ（ＮｔａｒｇｅｔＲＢ／２）は、ＮｔａｒｇｅｔＲＢ／２を超えない範囲の最大の整数であり、前記ＮｔａｒｇｅｔＲＢは、前記周波数領域リソース割り当てフィールドが適用されるリソースブロックの数であり、前記ＲＢｓｔａｒｔは、前記ＰＤＳＣＨがマップされるリソースブロックの先頭のインデックスであり、前記ＬＲＢｓは、前記ＰＤＳＣＨがマップされるリソースブロックの数であり、
前記第２の方法において、Ｌ２ＲＢｓ−１≦ｆｌｏｏｒ（ＮｓｉｚｅＲＢ／２）の場合、前記ＮＲＩＶはＮＲＩＶ＝ＮｓｉｚｅＲＢ＊（Ｌ２ＲＢｓ−１）＋ＲＢ２ｓｔａｒｔで与えられ、ＬＲＢｓ−１＞ｆｌｏｏｒ（ＮｔａｒｇｅｔＲＢ／２）の場合、前記ＮＲＩＶはＮＲＩＶ＝ＮｓｉｚｅＲＢ＊（ＮｓｉｚｅＲＢ−Ｌ２ＲＢｓ＋１）＋ＮｓｉｚｅＲＢ−１−ＲＢ２ｓｔａｒｔで与えられ、前記ｆｌｏｏｒ（ＮｓｉｚｅＲＢ／２）は、ＮｓｉｚｅＲＢ／２を超えない範囲の最大の整数であり、前記ＲＢ２ｓｔａｒｔはＲＢ２ｓｔａｒｔ＝ＲＢｓｔａｒｔ／ＫＲＢＧで与えられ、前記Ｌ２ＲＢｓはＬ２ＲＢｓ＝ＬＲＢｓ／ＫＲＢＧで与えられる、
請求項５に記載の通信方法。
【請求項７】
基地局装置に用いられる通信方法であって、
制御リソースセットにおいてＤＣＩフォーマットを伴うＰＤＣＣＨを送信するステップと、
前記ＤＣＩフォーマットによってスケジューリングされたＰＤＳＣＨを送信するステップとを有し、
前記ＤＣＩフォーマットは周波数領域リソース割り当てフィールドを含み、
前記周波数領域リソース割り当てフィールドのビット数が第１の帯域のリソースブロックの数ＮｔａｒｇｅｔＲＢに少なくとも基づいて与えられ、かつ、前記周波数領域リソース割り当てフィールドが前記第１の帯域に適用される場合、前記周波数領域リソース割り当てフィールドによって示される値ＮＲＩＶは第１の方法に基づいて与えられ、
前記周波数領域リソース割り当てフィールドのビット数が第２の帯域のリソースブロックの数ＮｓｉｚｅＲＢに少なくとも基づいて与えられ、かつ、前記周波数領域リソース割り当てフィールドが前記第１の帯域に適用される場合、前記ＮＲＩＶは第２の方法に基づいて与えられる、
通信方法。
【請求項８】
前記第１の方法において、ＬＲＢｓ−１≦ｆｌｏｏｒ（ＮｔａｒｇｅｔＲＢ／２）の場合、前記ＮＲＩＶはＮＲＩＶ＝ＮｔａｒｇｅｔＲＢ＊（ＬＲＢｓ−１）＋ＲＢｓｔａｒｔで与えられ、ＬＲＢｓ−１＞ｆｌｏｏｒ（ＮｔａｒｇｅｔＲＢ／２）の場合、前記ＮＲＩＶはＮＲＩＶ＝ＮｔａｒｇｅｔＲＢ＊（ＮｔａｒｇｅｔＲＢ−ＬＲＢｓ＋１）＋ＮｔａｒｇｅｔＲＢ−１−ＲＢｓｔａｒｔで与えられ、前記ｆｌｏｏｒ（ＮｔａｒｇｅｔＲＢ／２）は、ＮｔａｒｇｅｔＲＢ／２を超えない範囲の最大の整数であり、前記ＮｔａｒｇｅｔＲＢは、前記周波数領域リソース割り当てフィールドが適用されるリソースブロックの数であり、前記ＲＢｓｔａｒｔは、前記ＰＤＳＣＨがマップされるリソースブロックの先頭のインデックスであり、前記ＬＲＢｓは、前記ＰＤＳＣＨがマップされるリソースブロックの数であり、
前記第２の方法において、Ｌ２ＲＢｓ−１≦ｆｌｏｏｒ（ＮｓｉｚｅＲＢ／２）の場合、前記ＮＲＩＶはＮＲＩＶ＝ＮｓｉｚｅＲＢ＊（Ｌ２ＲＢｓ−１）＋ＲＢ２ｓｔａｒｔで与えられ、ＬＲＢｓ−１＞ｆｌｏｏｒ（ＮｔａｒｇｅｔＲＢ／２）の場合、前記ＮＲＩＶはＮＲＩＶ＝ＮｓｉｚｅＲＢ＊（ＮｓｉｚｅＲＢ−Ｌ２ＲＢｓ＋１）＋ＮｓｉｚｅＲＢ−１−ＲＢ２ｓｔａｒｔで与えられ、前記ｆｌｏｏｒ（ＮｓｉｚｅＲＢ／２）は、ＮｓｉｚｅＲＢ／２を超えない範囲の最大の整数であり、前記ＲＢ２ｓｔａｒｔはＲＢ２ｓｔａｒｔ＝ＲＢｓｔａｒｔ／ＫＲＢＧで与えられ、前記Ｌ２ＲＢｓはＬ２ＲＢｓ＝ＬＲＢｓ／ＫＲＢＧで与えられる、
請求項７に記載の通信方法。